(57)【要約】【課題】  組立、分解が容易で携帯時には扱い易い収納寸度となり、凹凸のある接地面でも安定した使用ができる平で剛性のある座面の丈夫な組立式携帯用椅子を提供する。【解決手段】  垂直に立てた複数の脚に水平に梁を架けて多角形を形成するよう連結して主構造を形成し、座面面積を得るための座板取り付けは、梁又は脚間に架け、脚頭部の雄ネジで脚を梁の雌ネジにねじ込み固定し椅子を組み立てる。脚は、頭部、脚柱及び足部の３つの部品で構成し、ネジで互いに結合し、これらのネジのねじ込み量の調節で脚の長さを接地面の凹凸に合わせる。椅子の分解は、梁にネジで固定されている脚を取り外すことにより行われ、分解された各部品は長手方向に揃えて束ね、袋又は箱に収納し携帯する。【選択図】図１
2018094340.tif 000002
【特許請求の範囲】
【請求項１】
２脚以上の垂直に立てた脚に水平に梁を架けて連結し、連結された梁で形成される多角形を主構造とする椅子で、座面形成のための座板は梁間、脚間又は梁と脚の間に取り付けられることを特徴とする組立式携帯用椅子。
【請求項２】
複数の部品を雄ネジと雌ネジの締結で組み立て、ネジ込み量の調整により長さを調整できることを特徴とする脚を持つ請求項１に記載の組立式携帯用椅子。
【請求項３】
梁又は座板の脚の周に部分的に接する箇所の近傍に脚の周に沿って溝を設け、その溝に嵌合する形状の突起を設けた環状の部材と対を成す部材とで当該溝を挟む構造を特徴とする請求項１に記載の組立式携帯用椅子。
【発明の詳細な説明】
【技術分野】
【０００１】  本発明は、組立が容易で携帯性の良い椅子に関するものである。
【背景技術】
【０００２】  従来の折りたたみ式、或いは組み立て式携帯用椅子は、携帯時の大きさを小さくするための工夫（例：特開２００３−２５９９３１、特開２００７−１２５３５１）はされてはいるものの、座板の大きさ或いはパイプフレーム等の構造部の大きさよりは小さくならず十分取扱い易いとは言えない。【０００３】  又従来の折りたたみ式或いは組立式椅子（例：特開２００３−２５９９３１、特開２０１５−３６１０３）では凹凸のある場所での使用を十分に想定しているとは言えず、そのような場所ではガタつきを生じ不快であり不安定になる。接地面の凹凸には関係の無い一脚式のもの（例：特開２００５−３４３９５）は、着座者が自身の足で安定を保つ必要があり使用者は限られるうえ、荷重が一点に集中することから軟弱接地面での使用に適するとは言い難い。【０００４】  従来の簡易な携帯用椅子には耐久性に難があるものが多い。
【先行技術文献】
【０００５】
【特許文献１】特開２０１５−３６１０３号公報
【発明の概要】
【発明が解決しようとする課題】
【０００６】  従来の携帯用椅子では、座板の大きさ或いはパイプフレーム等の構造部の大きさにより収納・携帯時において十分扱い易い寸度とは言えず、又凹凸のある場所での使用について十分な配慮はされていないためそのような場所での使用ではガタつきを生じる或いは不安定となる。
従来の折りたたみ式の携帯用椅子では丈夫さが十分とは言えないものが多い。
【課題を解決するための手段】
【０００７】  頭部、柱部及び足部の三つの部分をそれぞれに設けられた雄ネジと雌ネジで結合して一体とした複数個の脚の間に単純梁を架けて形成する多角形を主構造とし、座面を形成するため必要な座板を脚又は梁の間に架けて椅子を構成する。当椅子は、脚頭部に設けた雄ネジを梁で構成される多角形の頂点に当たる箇所で梁又は座面に垂直にねじ入れて脚を取り付け固定し、座面に加わる荷重を梁で受け、梁に伝えられた荷重を垂直の脚で受ける単純な構造である。脚を３つの部品で構成し、それらの結合部のネジのはめ込み量を調整し接地面の凹凸に合わせて脚の長さを調節する。最も大きな部品となりうる座面を構成する座板は分割して携帯性が良く、取扱い易い寸法にし、分解された座板、梁、脚の各部品を長手方向に揃えて束ね、箱又は袋に収納して携帯する。
【発明の効果】
【０００８】  本発明品の組立前の各部品は、棒状又は板状であるのでこれらを長手方向に揃え束ねることによりコンパクトに収納できることから携帯性が良く、脚の長さを調整することにより凹凸のある接地面での安定性が得られる。脚間に梁を架ける単純な構造で脚の取り付けも脚頭のネジを梁にねじ込むことによるため、分解・組立が容易であり部品の変更・追加も容易で座面を広げる或いは座面の高さを変えることは容易にできることから利用できる範囲も広げることができる。従来の携帯用椅子に比べ垂直な脚と水平の梁と言う単純な構造であることから丈夫にできる。又、本発明品の基本である脚間に梁を架ける構造は、所謂正座椅子にも応用できる。
【図面の簡単な説明】
【０００９】
【図１】基本的な構成の４本脚の組立式携帯用椅子の全体図
【図２】図１に示す組立式携帯用椅子の変形防止の方法である梁の段差を示す図
【図３】図１に示す組立式携帯用椅子の案内ピンによる変形防止の方法示す図
【図４】軟弱接地面用の脚足の取り付けを示す図及び当該品の断面図
【図５】梁３個を組み合わせる３本脚の組立携帯用椅子の全体図、座板を兼ねる梁の立体図及び梁の中央部を連結する方法を示す図
【図６】座板１個、座板兼用となる梁２個及び梁１個で構成する３本脚の組立携帯用椅子の全体図
【図７】図６に示される３本脚の椅子と異なる方法で一つの脚に座板兼用の梁と１個の座板を取り付ける３本脚の組立携帯用椅子の説明図
【図８】図１に示す組立式携帯用椅子の座面拡張方法を示す立体図、中間脚の取り付け方法二種を示す断面図及びそれらの方法に使用する梁の立体図
【図９】座板の固定の方法及びその派生方法である座板端横に溝を設ける方法の説明図とピンによる座板固定の方法を示す図
【図１０】図１に示す梁（３）と座板（１）との結合体を形成する方法を示す立体図
【図１１】正座椅子の全体図
【発明を実施するための形態】
【００１０】  本発明の椅子は、脚頭に設けられた雄ネジの通る穴又は雄ネジの相手となる雌ネジが端に設けられた梁で複数の脚を連結し形成された多角形を主構造とする。連結は、脚頭の雄ネジを梁の穴に通し、これの上に重ねた別の梁の雌ネジに締め込むことによる。
【００１１】  図１に示す４本脚の椅子の場合、両端に穴を設けた梁（３）の上に、両端に雌ネジを設けた梁（２）の端を重ねて連結した四角形を主構造とし、脚４本を取り付けて椅子を組立てる。図５、図６、図７に示す３本脚の椅子の場合は、梁３個（２ｃ又は２ｄ）（２ｅ、２ｆ及び３ｃ）（２ｇ、２ｈ及び３ｃ）を連結した三角形が主構造となる。
【００１２】  主構造の梁のみでは十分な座面面積を得られない場合、座板を取り付ける。図１に示す４本脚の椅子では、上側に重ねられた梁（２）は、座面として利用できるが、分解して携帯する際の利便性のため幅を狭くしてあるので、これだけでは座面面積が少なく利用できない。従い、対を成す２つの上側に重ねられた梁（２）の間に２つの座板（１）を下側の梁（３）に載せて座面を形成する。
【００１３】  脚は、脚頭（５）、脚柱（４）及び脚足（６）の三つの部分で構成され、通常はこれらをそれぞれに設けられた雄ネジ又は雌ねじにて互いに結合したまま一体として取扱う。
【００１４】  ４本脚の椅子の座板の取り付け方法は、図９のＩ又はＩＩに示すように座板の端を「コ」の字型の断面を有する金具（１３又は１３ａ）を用いるか、図９のＶのように座板に座板留めピン（１４）を取り付ける。「コ」の字型の断面を有する金具を用いる方法には図９のＩに示す座板の短辺を「コ」の字型の断面を有する金具（１３）にて上から抑える方法と図９のＩＩに示す短辺の側面に溝を設け、そこに「コ」の字型の断面を有する金具（１３ａ）を嵌める方法がある。図９のＶに示すように、座板留めピン（１４）を取り付けた座板（１ｅ）が架けられる梁（３ｇ）には座板留めピンの頭の通る穴を設け、座板留めピンを穴に通してピンの軸が穴の周に接するまで梁を内側に寄せて椅子を組み立てる。或いは、座板留めピンの頭の通る穴と座板留めピンの軸径に合わせた小長穴を連結して設け、座板留めピンの頭の通る穴にピンの頭を通した後、軸が小長穴に嵌るよう梁を寄せて椅子を組み立て座板が外れないようにする。
【００１５】  図１に示す梁２個及び座板２個で形成される座面を持つ４本脚の椅子では、組立時の部品点数を少なくするための工夫として図９のＶに示す座板留めピンによる方法を応用して図１０に示めすように座板（１）と梁（３）を留めピン（７）で相対的に回転及びスライドができるように結合している。座板（１）を梁（３）に対し直角に展開し、座板（１）の他端を反対位置にある梁に載せて二つの結合体を対称に組み合わせ、脚頭（５）のネジを梁（３）の端の穴に通し上側に重なる梁（２）に締結する。収納時には取り外した結合体の梁と座板を回転して長手方向に揃え、且つ座板留めピンの通る長穴に沿って結合体全体の長さを短くする。
【００１６】  ４本脚の椅子では、使用中に梁で形成する主構造の四角形の直角である内角が変化しないよう、図２のＩ及びＩＩで示すように梁が重なる部分に段差を設ける、或いは図３に示すように案内ピン（８）と案内ピンを受ける穴を上下に重なる梁（２ｂ）（３ｂ）にそれぞれ設ける。但し、使用中の内角の変化が小さく不都合を生じない場合は、このような防止策は省略できる。
【００１７】  脚を取り外すことにより椅子は分解でき、脚は棒状に、その他の部分は板状になるので、これらを長手方向に揃えて束ね袋又は箱に収納し携帯する。
【００１８】  図１に示す４本脚の椅子の例では、組立に要する部品は、脚頭（５）、脚柱（４）及び脚足（６）の結合体である脚が４本、座板（１）、梁（３）及び留めピン（７）の結合体が２個及び梁（２）が２個の合計８個である。
【００１９】  脚は前述のとおり脚柱（４）に脚頭（５）と脚足（６）がネジで結合されている結合体である。脚柱（４）と脚頭（５）及び脚柱（４）と脚足（６）のネジ部の締め込み量により脚の全体の長さを調整できる。又、ネジ結合されていることから脚柱（４）の交換は容易であり、従い脚柱を別の長さのものと交換することにより座面の高さの変更が容易にできる。
【００２０】  脚足（６）に替えて、図４に示す接地面積を増やした脚足（６ａ）と交換して砂地等の軟弱接地面に対応できる。図４のＩＩに示すように脚足（６ａ）の接地面部と脚柱（４）と接続する部分は脚に加わる曲げ荷重を小さくするためボールジョイントとし接地面の傾斜に合わせて自在に傾斜する。
【００２１】  図８のＩに示すように単純に梁を延長し中間に脚を設ける方法と図８のＶのように梁を連結する方法の２通りの方法で４本脚の椅子の座面の拡張ができる。図３に示す案内ピンを使用した梁による延長又は連結する方法については、案内ピンが取り付けられ、それの嵌る穴が設けられる他は同様である。
【００２６】  座面の拡張を頻繁に行う使い方をする場合、梁（３）に代えて図８のＶＩに示すように連結用梁（３ｅ）とスペーサー（３ｆ）を組み合わせたものを使用することもできる。
【００２２】  図５に示す３本脚の椅子の例では、片側に雌ネジを、反対側には脚の雄ネジが通る穴を設け且つ有効な座面を形成する形状である梁（２ｃ）の端を互いに上下に重ねて三つ巴状に組み合わせて三角形の構造と座面を形成している。梁（２ｃ）の穴に脚頭（５）の雄ネジを通し、連結する梁（２ｃ）の雌ネジにねじ込んで組み立てる。
【００２３】  座面中央部の各座板の撓み量の不均一が着座時の不安、不快感を生じ無いようにする場合、図５のＩＩＩ及びＩＶに示すように座面中央部を中央ボルト（１０）と中央ナット（１１）で挟み、座面の剛性を高めると共に撓みに差が生じ無いようにする。
【００２４】  図５で示した３本脚の椅子の座面を形成する梁は幅広であるため、その分収納寸度が大きくなり携帯性が劣る。この梁の幅を狭くするための工夫として図６に示す３本脚の椅子では、部品数は増えるものの座板を追加し座面を形成する梁の巾を狭めている。三角形の主構造は、三角の隣り合う二辺となる幅を狭めた梁（２ｅ、２ｆ）と三角形のもう一つの辺となる梁（３ｃ）とで形成する。座板（１ｂ）の一端を２つの梁（２ｅ、２ｆ）が連結する脚に２つの梁（２ｅ、２ｆ）と共に重ねて取り付け他端は梁（３ｃ）の上に載せる。
【００２５】  図７に示す３本脚の椅子は、図６に示す３本脚の椅子と同様に１本の脚に梁２つと座板１つを取り付けるが、これらを重ねるのでは無く、左右の梁と座板の端を平面状に脚の周りに並べて取り付ける。座板（１ｄ）、２つの梁（２ｇ及び２ｈ）、夫々が脚の周を分割して（図７のＩＩＩの例では３等分）囲み、脚と接する部分を押さえ金具（１１）と留環（１２）で挟み、脚頭（５）を押さえ金具（１１）にネジ込んで固定する。座板（１ｄ）、梁（２ｇ、２ｈ）には外れないように押さえ金具（１１）と互いに噛み合う溝を設ける。
【００２６】  本発明の基本的な構造により、図１１に示すように２本の脚で正座椅子を構成できる。２つの脚とこれを連結する梁１つ及び２つのこれと直交する梁で形成される「エ」の形が主構造となる。脚を連結する梁に直交する梁の中央には脚頭の雄ネジを通す穴があり、脚頭の雄ネジをこの穴を通して連結する梁の雌ネジに締結する。連結する梁に直交する２つの梁の間に座板を取り付け連結する梁と共に座面を形成する。
【産業上の利用可能性】
【００２７】  本発明品は、単純な構造であることから多くの従来品に比べ丈夫なものにし易いことから主に耐久性の求められるアウトドア用品としての利用範囲が広がることが期待され、又野外でのコンサート、花火観賞や長時間の順番待ちの行列等での利用も期待される。
【符号の説明】
【００２８】  １    座板
１ａ  座板（薄厚）
１ｂ  座板（３脚、積重）
１ｃ  座板（３脚、平置）
１ｄ  座版（横溝）
１ｅ  座版（留めピン）
１ｆ  座版（正座）
２    梁（メネジ）
２ａ  梁（メネジ、段差）
２ｂ  梁（メネジ、ピン）
２ｃ  梁（メネジ、三脚）
２ｄ  梁（メネジ、三脚、中央留））
２ｅ  梁（メネジ、三脚、積重、左）
２ｆ  梁（メネジ、三脚、積重、右）
２ｇ  梁（メネジ、三脚、平置、左）
２ｈ  梁（メネジ、三脚、平置、右）
２ｉ  梁（メネジ、中央）
２ｊ  梁（メネジ、正座）
３    梁（穴）
３ａ  梁（穴、段差）
３ｂ  梁（穴、案内ピン）
３ｃ  梁（穴、三脚）
３ｄ  梁（穴、延長）
３ｅ  連結用梁（穴）
３ｆ  スペーサー（連結）
３ｇ  梁（穴、留めピン穴）
３ｈ  梁（穴、正座）
４    脚柱
４ａ  脚柱（短）
４ｂ  脚柱（正座）
５    脚頭
５ａ  脚頭（三脚、積重）
６    脚足
６ａ  脚足（幅広）
６ｂ  脚足（正座）
７    留めピン
８    案内ピン
９    中央ナット（メネジ）
１０    中央ボルト（オネジ）
１１    押さえ金具（三脚）
１２    留環（三脚）
１３    座板留め金具
１３ａ  座板留め金具（横溝）
１４    座板留めピン
【図１】
2018094340.tif 000003
【図２】
2018094340.tif 000004
【図３】
2018094340.tif 000005
【図４】
2018094340.tif 000006
【図５】
2018094340.tif 000007
【図６】
2018094340.tif 000008
【図７】
2018094340.tif 000009
【図８】
2018094340.tif 000010
【図９】
2018094340.tif 000011
【図１０】
2018094340.tif 000012
【図１１】
2018094340.tif 000013